(57)【要約】      （修正有）【課題】手或いは足で開放できるベビーフェンスの提供。【解決手段】手で開放するのに不便な時に足で上向きに下スイッチ４を移動させて連接棒５を上昇させ、連接棒に接続された制御ブロック６に第１ロックブロック１４のロック部を駆動させて第２サイドフレーム１２の位置決め孔より離脱させ、並びに制御ブロックに連動部品３を駆動させ上に移動させ、それに接続された位置決めピンの下方をベースの位置決め孔より離脱させてフェンス本体１０を自由回転状態となし、さらに足で軽くフェンス本体を押して回転させ開放させられる。手で上スイッチを操作する時は、手を上固定座の貫通溝に挿入した後に上スイッチを握持するか上から押し、上スイッチのスライドブロック７１を上固定座の直滑り溝に沿って上に移動させて第１ロックブロック１４の位置決めピンを第１サイドフレームの位置決め孔とベースの位置決め孔より離脱させる。【選択図】図２
0003116489.tif 000002
【実用新案登録請求の範囲】
【請求項１】
手或いは足の操作で開放可能な開閉装置を具えたベビーフェンスであって、
フェンス本体であって、一側が枢軸でサイドフレームの内側に枢設されて回転可能な状態を呈し、その上方に第１ロックブロックが設けられ、第１ロックブロックのロック部が第２サイドフレームの対応位置に設けられた位置決め孔に進入可能である、上記フェンス本体と、
サイドフレームであって、その外側に複数の固定部品が設けられ、固定部品のネジ部が先に調整ノブに螺合され、さらにサイドフレームにねじ込まれ、該サイドフレームの内側がフェンス本体の一側に枢設された、上記サイドフレームと、
第２サイドフレームであって、その外側に複数の固定部品が設けられ、固定部品のネジ部が先に調整ノブに螺合され、さらに第２サイドフレームにねじ込まれた、上記第２サイドフレームと、
ベースであって、サイドフレームと第２サイドフレームの間に設けられ、且つフェンス本体の下方に位置し、該ベースはフェンス本体の下方に設けられた位置めピンの下方に対応する位置決め孔を具えている、上記ベースと、
を包含し、サイドフレームと第２サイドフレームに設けられた複数の固定部品と調整ノブを利用してフェンス框の間に固定される、ベビーフェンスにおいて、
該開閉装置が、
下固定座であって、その対向する壁面に、複数の位置決め孔を具え、固定部品によりフェンス本体の一側下方に接続固定され、その底壁面がベースの位置決め孔に対応する穿孔を具え、このほか、そのうち一つの壁面に滑り溝があり、下スイッチのスライドブロックの滑入に供される、上記下固定座と、
連動部品であって、下方が位置決めピンと接続され、並びにバネとフェンス本体下方の位置決め壁の穿孔を通り、その後、上方の係止ブロックと制御ブロックの係止溝と嵌合、位置決めされ、前述の位置決めピンの下方がフェンス本体に設けられた下固定座内に挿入され、且つ位置決めピンの上端がバネの一側と嵌合され、バネの別側は前述のフェンス本体下方の位置決め壁の穿孔の周縁面に当接する、上記連動部品と、
下スイッチであって、スライドブロックを具え、下固定座の滑り溝に進入可能であり、並びに固定部品で連接棒の下方と固定される、上記下スイッチと、
連接棒であって、その下方が折り曲げ状に形成され、並びにフェンス本体の下方の位置決め壁の貫通溝孔を通り下スイッチと固定され、その上方に嵌めブロックが設けられて制御ブロックの嵌め溝と嵌合、接続される、上記連接棒と、
制御ブロックであって、その下方に嵌め溝と係止溝が設けられ、そのうち係止溝が連動部品の係止ブロックと係合し、その上方に別に係止溝が設けられて上スイッチの係止ブロックと嵌合、位置決めされ、このほか制御ブロックの一側に案内斜面が設けられ、該案内斜面は第１ロックブロックの内側の案内斜面と接近し、このほか、制御ブロックの下方に滑り溝が設けられて上固定座のスライドブロックが上下にスライド自在に組み合わされる、上記制御ブロックと、
第１ロックブロックであって、上固定座のストッパ壁にスライド自在に組み合わされ、別に第１ロックブロックに凹溝が設けられ、該凹溝の一側に案内斜面が設けられた、上記第１ロックブロックと、
上スイッチであって、柄部と柄部の一側に接続されたスライドブロックを包含し、スライドブロックにより上固定座の直滑り溝に上下にスライド自在に組み合わされ、且つスライドブロックの下方に係止ブロックが設けられた、上記上スイッチと、
上固定座であって、複数の位置決め柱を具え、固定部品でフェンス本体の一側上方の固定壁に固定され、その下方にスライドブロックを具えて制御ブロックにスライド自在に組み合わされ、且つ上固定座に別に横向き溝孔が設けられて第１ロックブロックがスライド自在に組み合わされ、横向き溝孔の一側が上固定座の側壁を貫通し前述の第１ロックブロックのロック部の伸出に供され、該横向き溝孔内にストッパ壁が設けられて弾性部品の別側を阻止し、該上固定座は並びに直滑り溝を具えて上スイッチのスライドブロックがスライド自在に組み合わされ、且つ上スイッチの柄部はそれに設けられた貫通溝孔内に位置する、上記上固定座と、
を包含することを特徴とする、ベビーフェンス。
【請求項２】
請求項１記載のベビーフェンスにおいて、連動部品に高い靱性と強度を有するロープ或いは直径が小さいロッドが採用され、その上方に前述の係止ブロックが接続され、その下方に前述の位置決めピンの上方が接続されたことを特徴とする、ベビーフェンス。
【請求項３】
請求項１記載のベビーフェンスにおいて、上固定座の上方に選択的に横滑り溝が設けられ、該横滑り溝に第２ロックブロックのロック部がスライド自在に組み合わされ、該第２ロックブロックがロック部に接続された牽引部を具え、該牽引部が上牽引ブロックと下係止ブロックを具え、該上牽引ブロックが上固定座の上滑り溝の安全スイッチの係止溝と嵌合され、安全スイッチはその係止溝により第２ロックブロックを駆動して外向きにスライドさせた後、そのロック部を先に上固定座の横滑り溝より伸出させ、さらに第１サイドフレームの対応位置に設けられた第２位置決め孔に挿入し、且つ第２ロックブロックの下係止ブロックをちょうど上スイッチの柄部の内凹空間に隣接する一側壁の上方に位置させ、柄部を係止し、上スイッチの上へのスライドを不能とすることを特徴とする、ベビーフェンス。
【考案の詳細な説明】
【技術分野】
【０００１】
本考案は一種のベビーフェンスに係り、足或いは手で開放操作が行え、且つ上スイッチの手部操作開放方式も幼児操作を防止する安全性を有し、また選択的に安全スイッチを増設可能で、二重の安全効果を達成したベビーフェンスに関する。
【背景技術】
【０００２】
周知のベビーフェンス９は、図１に示されるように、フェンス本体９１、サイドフレーム９２、第２サイドフレーム９３、ベース９４などの構成要件で構成され、サイドフレーム９２と第２サイドフレーム９３に螺設された固定部品９５と調整ノブ９６を利用して、ベビーフェンス９がフェンス框９０の間に設けられる。フェンス框９０は厨房、子供部屋或いはその他の幼児の進出を防止し、危険を防止する。そのうち、フェンス本体９１の一側は枢設部品９１１、９１２でサイドフレーム９２の一側と枢設されて回転可能とされ、フェンス本体９１の上方に設けられた係止装置によりフェンス本体９１が第２サイドフレーム９３にロックされる。しかしこのような構造は僅かに手部で係止装置を操作することによりフェンス本体９１を開くことができ、大人が厨房内にいるか或いはその他に因子により係止装置を開放するのに両手での操作が不便であるときは、フェンス本体９１を開くことができず、使用上の問題と不便をもたらす。このほか、係止装置は幼児が開くと危険を発生しやすく、幼児の安全性に影響を与える。
【考案の開示】
【考案が解決しようとする課題】
【０００３】
本考案は周知の製品の多くの欠点を鑑み、不断の研究と改良を重ね、一種のベビーフェンスを提供するものである。
【０００４】
ゆえに本考案の主要な目的は、一種のベビーフェンスを提供することにあり、それは、手或いは足でフェンスを開くことができ、使用者が手で開くのに不便である時に足で上向きに下スイッチを押し上げて連接棒を上昇させ、これにより連接棒に接続された制御ブロックに第１ロックブロックのロック部を第２サイドフレームの位置決め孔より離脱させ、並びに制御ブロックに連動部品を駆動させて連動部品を上に移動させ、それに接続された位置決め部品の下方をベースの位置決め孔より離脱させ、これによりフェンス本体を自由回転状態とすることができ、このとき、足で軽く押してフェンス本体を回して開放する目的を達成できるものとする。
【０００５】
本考案のもう一つの目的は、一種のベビーフェンスを提供することにあり、それは手で上スイッチを操作する時に、手を上固定座の貫通溝孔内に挿入した後に上スイッチを握持するか或いは上に押し上げて、上スイッチをそのスライドブロックにより上固定座の直滑り溝に沿って上向きに移動させると共に、第１ロックブロックと位置決めピンをそれぞれ第１サイドフレームの位置決め孔とベースの位置決め孔より離脱させ、これにより幼児の身長では上スイッチ操作を難しくし、比較的良好な安全性を達成できるものとする。
【０００６】
本考案のさらに別の目的は、一種のベビーフェンスを提供することにあり、それは選択的に安全スイッチが取り付けられ、該安全スイッチが第２ロックブロックのロック部を駆動して第２サイドフレームの第２位置決め孔に挿入し、並びに第２ロックブロックの下係止ブロックを上スイッチの柄部の一側壁に係止し、上スイッチの上向き移動不能とし、これにより手で上スイッチを操作するか足で上向きにしたスイッチを押し上げるかのいずれを行っても上スイッチを上に移動させられないようにし、二重の防護効果を達成して安全性を高めたものとする。
【課題を解決するための手段】
【０００７】
請求項１の考案は、手或いは足の操作で開放可能な開閉装置を具えたベビーフェンスであって、
フェンス本体であって、一側が枢軸でサイドフレームの内側に枢設されて回転可能な状態を呈し、その上方に第１ロックブロックが設けられ、第１ロックブロックのロック部が第２サイドフレームの対応位置に設けられた位置決め孔に進入可能である、上記フェンス本体と、
サイドフレームであって、その外側に複数の固定部品が設けられ、固定部品のネジ部が先に調整ノブに螺合され、さらにサイドフレームにねじ込まれ、該サイドフレームの内側がフェンス本体の一側に枢設された、上記サイドフレームと、
第２サイドフレームであって、その外側に複数の固定部品が設けられ、固定部品のネジ部が先に調整ノブに螺合され、さらに第２サイドフレームにねじ込まれた、上記第２サイドフレームと、
ベースであって、サイドフレームと第２サイドフレームの間に設けられ、且つフェンス本体の下方に位置し、該ベースはフェンス本体の下方に設けられた位置めピンの下方に対応する位置決め孔を具えている、上記ベースと、
を包含し、サイドフレームと第２サイドフレームに設けられた複数の固定部品と調整ノブを利用してフェンス框の間に固定される、ベビーフェンスにおいて、
該開閉装置が、
下固定座であって、その対向する壁面に、複数の位置決め孔を具え、固定部品によりフェンス本体の一側下方に接続固定され、その底壁面がベースの位置決め孔に対応する穿孔を具え、このほか、そのうち一つの壁面に滑り溝があり、下スイッチのスライドブロックの滑入に供される、上記下固定座と、
連動部品であって、下方が位置決めピンと接続され、並びにバネとフェンス本体下方の位置決め壁の穿孔を通り、その後、上方の係止ブロックと制御ブロックの係止溝と嵌合、位置決めされ、前述の位置決めピンの下方がフェンス本体に設けられた下固定座内に挿入され、且つ位置決めピンの上端がバネの一側と嵌合され、バネの別側は前述のフェンス本体下方の位置決め壁の穿孔の周縁面に当接する、上記連動部品と、
下スイッチであって、スライドブロックを具え、下固定座の滑り溝に進入可能であり、並びに固定部品で連接棒の下方と固定される、上記下スイッチと、
連接棒であって、その下方が折り曲げ状に形成され、並びにフェンス本体の下方の位置決め壁の貫通溝孔を通り下スイッチと固定され、その上方に嵌めブロックが設けられて制御ブロックの嵌め溝と嵌合、接続される、上記連接棒と、
制御ブロックであって、その下方に嵌め溝と係止溝が設けられ、そのうち係止溝が連動部品の係止ブロックと係合し、その上方に別に係止溝が設けられて上スイッチの係止ブロックと嵌合、位置決めされ、このほか制御ブロックの一側に案内斜面が設けられ、該案内斜面は第１ロックブロックの内側の案内斜面と接近し、このほか、制御ブロックの下方に滑り溝が設けられて上固定座のスライドブロックが上下にスライド自在に組み合わされる、上記制御ブロックと、
第１ロックブロックであって、上固定座のストッパ壁にスライド自在に組み合わされ、別に第１ロックブロックに凹溝が設けられ、該凹溝の一側に案内斜面が設けられた、上記第１ロックブロックと、
上スイッチであって、柄部と柄部の一側に接続されたスライドブロックを包含し、スライドブロックにより上固定座の直滑り溝に上下にスライド自在に組み合わされ、且つスライドブロックの下方に係止ブロックが設けられた、上記上スイッチと、
上固定座であって、複数の位置決め柱を具え、固定部品でフェンス本体の一側上方の固定壁に固定され、その下方にスライドブロックを具えて制御ブロックにスライド自在に組み合わされ、且つ上固定座に別に横向き溝孔が設けられて第１ロックブロックがスライド自在に組み合わされ、横向き溝孔の一側が上固定座の側壁を貫通し前述の第１ロックブロックのロック部の伸出に供され、該横向き溝孔内にストッパ壁が設けられて弾性部品の別側を阻止し、該上固定座は並びに直滑り溝を具えて上スイッチのスライドブロックがスライド自在に組み合わされ、且つ上スイッチの柄部はそれに設けられた貫通溝孔内に位置する、上記上固定座と、
を包含することを特徴とする、ベビーフェンスとしている。
請求項２の考案は、請求項１記載のベビーフェンスにおいて、連動部品に高い靱性と強度を有するロープ或いは直径が小さいロッドが採用され、その上方に前述の係止ブロックが接続され、その下方に前述の位置決めピンの上方が接続されたことを特徴とする、ベビーフェンスとしている。
請求項３の考案は、請求項１記載のベビーフェンスにおいて、上固定座の上方に選択的に横滑り溝が設けられ、該横滑り溝に第２ロックブロックのロック部がスライド自在に組み合わされ、該第２ロックブロックがロック部に接続された牽引部を具え、該牽引部が上牽引ブロックと下係止ブロックを具え、該上牽引ブロックが上固定座の上滑り溝の安全スイッチの係止溝と嵌合され、安全スイッチはその係止溝により第２ロックブロックを駆動して外向きにスライドさせた後、そのロック部を先に上固定座の横滑り溝より伸出させ、さらに第１サイドフレームの対応位置に設けられた第２位置決め孔に挿入し、且つ第２ロックブロックの下係止ブロックをちょうど上スイッチの柄部の内凹空間に隣接する一側壁の上方に位置させ、柄部を係止し、上スイッチの上へのスライドを不能とすることを特徴とする、ベビーフェンスとしている。
【考案の効果】
【０００８】
本考案は一種のベビーフェンスを提供し、それは、手で開放するのに不便な時に足で上向きに下スイッチを移動させて連接棒を上昇させ、連接棒に接続された制御ブロックに第１ロックブロックのロック部を駆動させて第２サイドフレームの位置決め孔より離脱させ、並びに制御ブロックに連動部品を駆動させ上に移動させ、それに接続された位置決めピンの下方をベースの位置決め孔より離脱させてフェンス本体を自由回転状態となし、さらに足で軽くフェンス本体を押して回転させ開放させられる。手で上スイッチを操作する時は、手を上固定座の貫通溝に挿入した後に上スイッチを握持するか上から押し、上スイッチのスライドブロックを上固定座の直滑り溝に沿って上に移動させて第１ロックブロックの位置決めピンを第１サイドフレームの位置決め孔とベースの位置決め孔より離脱させ、これにより身長の低い幼児は上スイッチ操作が難しく、良好な安全性を確保できる。
【考案を実施するための最良の形態】
【０００９】
図２から図１２に示されるように、本考案のベビーフェンスは、手或いは足の操作で開放可能な開閉装置を具え、そのうち、該ベビーフェンスは以下を包含する。
【００１０】
フェンス本体１０は、一側が枢軸１０３でサイドフレーム１１の内側に枢設されて回転可能な状態を呈し、その上方に第１ロックブロック１４が設けられ、第１ロックブロック１４（図１１参照）のロック部１４１により第２サイドフレーム１２の対応位置に設けられた位置決め孔１２１に進入可能である（図７）。
【００１１】
サイドフレーム１１は、その外側に複数の固定部品１５が設けられ、固定部品１５のネジ部１５１が先に調整ノブ１６に螺合され、さらにサイドフレーム１１にねじ込まれ、該サイドフレーム１１の内側はフェンス本体１０の一側に枢設され、このほか、該サイドフレーム１１に延長板１１０を接続可能である。
【００１２】
第２サイドフレーム１２は、その外側に複数の固定部品１５が設けられ、固定部品１５のネジ部１５１が先に調整ノブ１６に螺合され、さらに第２サイドフレーム１２にねじ込まれ、該第２サイドフレーム１２に延長板１２０を接続可能である。
【００１３】
ベース１３は、サイドフレーム１１と第２サイドフレーム１２の間に設けられ、且つフェンス本体１０の下方に位置し、該ベース１３はフェンス本体１０の下方に設けられた位置決めピン１７の下方に対応する位置決め孔１３１を具えている。
【００１４】
本考案は以上の構成要件からなり、サイドフレーム１１と第２サイドフレーム１２に設けられた複数の固定部品１５と調整ノブ１６を利用して厨房などのフェンス框１０１の間に固定され（本実施例では厨房のフェンス框とされる）、幼児が厨房に進入して危険を発生するのを防止する。
【００１５】
本考案の主要な特徴は以下のとおりである。
【００１６】
該開閉装置は以下を包含する。
【００１７】
下固定座２は、その対向する壁面２１（図８、９参照）に、複数の位置決め孔２１１を具え、固定部品２２により（図２、図７）フェンス本体１０の一側下方に接続固定され、その底壁面２３がベース１３の位置決め孔１３１に対応する穿孔２３１を具え、このほか、そのうち一つの壁面２１に滑り溝２１２があり、下スイッチ４のスライドブロック４１の滑入に供される。
【００１８】
連動部品３は、下方３２が位置決めピン１７と接続され、並びにバネ３０とフェンス本体１０下方の位置決め壁１０２の穿孔１０２１を通り（図７）、その後、上方の係止ブロック３１と制御ブロック６の係止溝６２と嵌合、位置決めされ、前述の位置決めピン１７の下方はフェンス本体１０に設けられた下固定座２内に挿入され、且つ位置決めピン１７の上端１７１がバネ３０の一側と嵌合され、バネ３０の別側は前述のフェンス本体１０下方の位置決め壁１０２の穿孔１０２１の周縁面に当接する。
【００１９】
下スイッチ４は、スライドブロック４１を具え（図７、８）、下固定座２の滑り溝２１２に進入可能であり、並びに固定部品４２で連接棒５の下方５２と固定される。
【００２０】
連接棒５は、その下方５２が折り曲げ状に形成され、並びにフェンス本体１０の下方の位置決め壁１０２の貫通溝孔１０２２（図７）を通り下スイッチ４と固定され、その上方に嵌めブロック５１が設けられて制御ブロック６の嵌め溝６１と嵌合、接続される。
【００２１】
制御ブロック６（図５、７、１０）は、その下方に嵌め溝６１と係止溝６２が設けられ、そのうち係止溝６２は連動部品３の係止ブロック３１と係合し、その上方に別に係止溝６３が設けられて上スイッチ１８の係止ブロック１８１１と嵌合、位置決めされ、このほか制御ブロック６の一側に案内斜面６４が設けられ、該案内斜面６４は第１ロックブロック１４の内側の案内斜面１４３と接近し、このほか、制御ブロック６の下方に滑り溝６５（図５）が設けられて上固定座７のスライドブロック７１が上下にスライド自在に組み合わされる。
【００２２】
第１ロックブロック１４は、上固定座７のストッパ壁７３にスライド自在に組み合わされ、別に第１ロックブロック１４に凹溝１４６が設けられ、該凹溝１４６の一側に案内斜面１４３が設けられている。
【００２３】
上スイッチ１８は、柄部１８２と柄部１８２の一側に接続されたスライドブロック１８１を包含し、スライドブロック１８１により上固定座７の直滑り溝７４（図５、７）に上下にスライド自在に組み合わされ、且つスライドブロック１８１の下方に係止ブロック１８１１が設けられている。
【００２４】
上固定座７は、複数の位置決め柱７０を具え、固定部品（図示せず）でフェンス本体１０の一側上方の固定壁１００（図３）に固定され、その下方にスライドブロック７１を具えて制御ブロック６にスライド自在に組み合わされ、且つ上固定座７に別に横向き溝孔７２が設けられて第１ロックブロック１４がスライド自在に組み合わされ、横向き溝孔７２の一側が上固定座７の側壁７５を貫通し前述の第１ロックブロック１４のロック部１４１の伸出に供され、該横向き溝孔７２内にストッパ壁７３が設けられて弾性部品１４０の別側１４０２を阻止し、該上固定座７は並びに直滑り溝７４を具えて上スイッチ１８のスライドブロック１８１がスライド自在に組み合わされ、且つ上スイッチ１８の柄部１８２はそれに設けられた貫通溝孔７６内に位置する。
【００２５】
前述の実施例のベビーフェンスは、厨房のフェンス框１０１に設置され、幼児の厨房への進入とそれによる危険を防止する。過程主婦が両手で物を持っているか或いは手で開放するのに不便である時は、その足で下スイッチ４を上に押し上げれば（図１２）、下スイッチ４のスライドブロック４１が連接棒５を駆動して上に移動させ、連接棒５の嵌めブロック５１が制御ブロック６を駆動して上向きにスライドさせ、これにより制御ブロック６の係止溝６２が連動部品３を駆動して上向きに移動させ、連動部品３の下方に接続された位置決めピン１７がバネ３０を圧縮し、並びに位置決めピン１７の下端１７２がベース１３の位置決め孔１３１より離脱し、前述の制御ブロック６の上へのスライドと同時にその案内斜面６４により第１ロックブロック１４が移動して弾性部品１４０を圧縮し、内向きに横向きにスライドさせ、そのロック部１４１が第２サイドフレーム１２の位置決め孔１２１より離脱し、こうしてさらに足で軽くフェンス本体１０を押して回せば開放することができる。当然、足を使用せずに手の操作で開放することもでき、ただ上スイッチ１８に上向きに施圧すればその係止ブロック１８１１が制御ブロック６を駆動して上向きにスライドさせ、位置決めピン１７の下端１７２がベース１３の位置決め孔１３１より離脱し、制御ブロック６の上向きの移動と同時に横向きに第１ロックブロック１４を移動させてそのロック部１４１を第２サイドフレーム１２の位置決め孔１２１より離脱させ（図１２）、こうして簡単にフェンス本体１０を押して回して開けることができる。前述のフェンス本体１０が回転してもとの位置に回復する時は、前述の位置決めピン１７の下端１７２もまたベース１３の位置決め孔１３１に挿入され、前述の第１ロックブロック１４のロック部１４１もまた第２サイドフレーム１２の位置決め孔１２１内に挿入される。
【００２６】
さらに、図５、７に示されるように、前述の上固定座７の上方に選択的に横滑り溝７８を設けることが可能で、該横滑り溝７８は第２ロックブロック８０のロック部８０１をスライド自在に組み合わせるのに供され、該第２ロックブロック８０はロック部８０１に接続された牽引部８０２を具え、該牽引部８０２は上牽引ブロック８０２１と下係止ブロック８０２２を具え、該上牽引ブロック８０２１は上固定座７の上滑り溝７９の安全スイッチ８の係止溝８１と嵌合され、安全スイッチ８はその係止溝８１により第２ロックブロック８０を駆動して外向きにスライドさせた後、そのロック部８０１を先に上固定座７の横滑り溝７８より伸出させ、さらに第２サイドフレーム１２の対応位置に設けられた第２位置決め孔１２２に挿入し、且つ第２ロックブロック８０の下係止ブロック８０２２がちょうど上スイッチ１８の柄部１８２の内凹空間１８２３に隣接する一側壁１８２４の上方に位置してこれにより柄部１８２を係止し、上スイッチ１８の上へのスライドを不能とする（図１３、１４）。簡単に述べると、ただ安全スイッチ８の調整により第２ロックブロック８０を駆動してそのロック部８０１を第２サイドフレーム１２の第２位置決め孔１２２に進入させ、且つ同時に第２ロックブロック８０の下係止ブロック８０２２で上スイッチ１８を係止し、上スイッチ１８を開放不能とすることで、幼児による開放を防止し、更なる安全性を確保することができる。
【００２７】
また、前述の連動部品３は高い靱性と強度を有するロープ或いは直径が小さいロッドを採用可能で、その後、その上方に前述の係止ブロック３１を接続し、その下方３２に前述の位置決めピン１７の上方を接続する。
【００２８】
総合すると、本考案は以下のような長所を有している。
１．使用者が手で開放するのに不便な時に足で下スイッチ４を押し上げて連接棒５を上に移動させることで、連接棒５に接続された制御ブロック６により第１ロックブロック１４のロック部１４１を第２サイドフレーム１２の位置決め孔１２１より離脱させ、並びに制御ブロック６に連動部品３を駆動させて上に移動させ、それに接続された位置決めピン１７の下方をベース１３の位置決め孔１３１より離脱させることで、フェンス本体１０を自由回転状態となし、このとき足で軽く押すことでフェンス本体１０を回して開放させる目的を達成できる。
２．手で上スイッチ１８を操作する時は手を上固定座７の貫通溝孔７６内に挿入した後に上スイッチ１８を握持するか上に押し上げて上スイッチ１８のスライドブロック１８１を上固定座７の直滑り溝７４に沿って上に移動させると共に第１ロックブロック１４と位置決めピン１７を第２サイドフレーム１２の位置決め孔１２１とベース１３の位置決め孔１３１より離脱させなければならず、これにより幼児の身長では上スイッチ１８の操作が難しく、これにより良好な安全性を達成できる。
３．選択的に安全スイッチ８を取り付けられる。安全スイッチ８は第２ロックブロック８０のロック部８０１を駆動して第２サイドフレーム１２の第２位置決め孔１２２に挿入し、並びに第２ロックブロック８０の下係止ブロック８０２２により上スイッチ１８の柄部１８２の一側壁１８２４を形成し、上スイッチ１８を上向き移動不能とでき、これにより手で上スイッチ１８を操作するか足で下スイッチ４を押し上げても上スイッチ１８を上に移動させられなくなり、これにより二重の防護効果を達成し安全性を向上する。
【図面の簡単な説明】
【００２９】
【図１】周知の技術の立体分解図である。
【図２】本考案の実施例のフェンスの平面図である。
【図３】本考案の実施例の部分立体図である。
【図４】本考案の実施例の別角度から観た部分立体図である。
【図５】本考案の実施例の上固定座とそれに設けられた部品の背面立体分解拡大図である。
【図６】本考案の実施例の上固定座とそれに設けられた部品の背面立体組合せ拡大図である。
【図７】本考案の実施例の上固定座とした固定座の関係部分の背面平面断面拡大図である。
【図８】本考案の実施例の下固定座、連動部品、位置決めピンと下スイッチの立体分解拡大図である。
【図９】本考案の実施例の下固定座、連動部品、位置決めピンと下スイッチの立体組合せ拡大図である。
【図１０】本考案の実施例の制御ブロックの背面立体拡大図である。
【図１１】本考案の実施例の第１ロックブロックの背面立体拡大図である。
【図１２】本考案の実施例の上固定座と下固定座の関係部分の別の動作の背面平面断面拡大図である。
【図１３】本考案の実施例の上固定座とそれに設けられた部品の別の動作の背面立体組合せ拡大図である。
【図１４】本考案の実施例の上固定座と下固定座の関係部分の別の動作の背面平面断面拡大図である。
【符号の説明】
【００３０】
１０  フェンス本体
１０３  枢軸
１１  サイドフレーム
１４  第１ロックブロック
１４１  ロック部
１２  第２サイドフレーム
１２１  位置決め孔
１５  固定部品
１５１  ネジ部
１６  調整ノブ
１１０、１２０  延長板
１３    ベース
１７  位置決めピン
１３１  位置決め孔
１０１  フェンス框
２  下固定座
２１  壁面
２１１  位置決め孔
２２  固定部品
２３  底壁面
２３１  穿孔
２１２  滑り溝
４  下スイッチ
４１  スライドブロック
３  連動部品
３２  下方
３０  バネ
１０２  位置決め壁
１０２１  穿孔
３１  係止ブロック
６  制御ブロック
６２  係止溝
１７１  上端
５  連接棒
５２  下方
１０２２  貫通溝孔
５１  嵌めブロック
６１  嵌め溝
６３  係止溝
６４  案内斜面
６５  滑り溝
７  上固定座
７１  スライドブロック
１８２  柄部
１８１  スライドブロック
７４  直滑り溝
１４６  凹溝
【図１】
0003116489.tif 000003
【図２】
0003116489.tif 000004
【図３】
0003116489.tif 000005
【図４】
0003116489.tif 000006
【図５】
0003116489.tif 000007
【図６】
0003116489.tif 000008
【図７】
0003116489.tif 000009
【図８】
0003116489.tif 000010
【図９】
0003116489.tif 000011
【図１０】
0003116489.tif 000012
【図１１】
0003116489.tif 000013
【図１２】
0003116489.tif 000014
【図１３】
0003116489.tif 000015
【図１４】
0003116489.tif 000016